(57)【要約】【課題】ヘッドホン、イヤホンマイクおよびステレオマイク等に共通化されたジャックインタフェースを含むＩＴ端末のジャックインタフェースに接続されるオーディオ機器プラグを識別して自動的に適切なセットアップする。【解決手段】オーディオ機器プラグ７０が接続可能なジャックインタフェース１０に、入出力セレクタ回路４２を介してオーディオコーデック５０に接続されると共に、ジャックインタフェース１０のＬＥＦＴ信号およびＲＩＧＨＴ信号端子にＲ→Ｖ変換回路２０を接続し、その出力電圧Ｖ−ＬＥＦＴ２０１およびＶ−ＲＩＧＨＴ２０２を比較回路器３１、３２により基準電圧３０１と比較し、その比較結果で入出力セレクタ回路４２およびオーディオコーデック５０の制御部４１、５１を制御する。【選択図】図１
2006229545.tif 000002
【特許請求の範囲】
【請求項１】
複数種類のオーディオ機器が接続される共通のジャックインタフェース、該ジャックインタフェースに接続される入出力セレクタ回路および該入出力セレクタ回路に接続されるオーディオコーデックを含むオーディオ機能を内蔵するＩＴ端末において、
前記ジャックインタフェースおよび前記入出力セレクタ回路間のＬＥＦＴ信号およびＲＩＧＨＴ信号路に接続され、前記ジャックインタフェースに接続されるオーディオ機器プラグのインピーダンスを電圧に変換する変換回路、該変換回路の出力電圧を基準電圧と比較する比較回路を備え、該比較回路の比較出力に基づき前記入出力セレクタ回路および前記オーディオコーデックの制御部を制御することを特徴とするＩＴ端末。
【請求項２】
前記オーディオコーデックの制御部に接続されたＣＰＵを更に備え、該ＣＰＵは、前記制御部からの割り込み信号に基づき前記識別されたオーディオ機器の種別に応じて適切な処理を行うことを特徴とする請求項１に記載のＩＴ端末。
【請求項３】
前記比較回路は、前記Ｒ→Ｖ変換回路からのＶ−ＬＥＦＴ電圧およびＶ−ＲＩＧＨＴ電圧を前記基準電圧と比較して、それぞれ「Ｈｉｇｈ」又は「Ｌｏｗ」の論理信号を出力する１対の比較回路により構成されることを特徴とする請求項１又は２に記載のＩＴ端末。
【請求項４】
前記ジャックインタフェースには、ヘッドホン、イヤホンマイク又はステレオマイクが接続されることを特徴とする請求項１乃至３のいずれかのＩＴ端末。
【請求項５】
複数種類のオーディオ機器に共通化されたジャックインタフェースを含むオーディオ機能を内蔵する携帯型ＩＴ端末の前記ジャックインタフェースに接続されるオーディオ機器の種別を識別するオーディオ機器識別方法において、
前記ジャックインタフェースに接続されるオーディオ機器プラグのＬＥＦＴチャンネルおよびＲＩＧＨＴチャンネルの抵抗（インピーダンス）に比例するＶ−ＬＥＦＴおよびＶ−ＲＩＧＨＴ電圧を得るステップと、該Ｖ−ＬＥＦＴおよびＶ−ＲＩＧＨＴ電圧を基準電圧と比較するステップと、該両比較結果の組み合わせに基づき前記ジャックインタフェースに接続されたオーディオ機器の種別を判別するステップとを備えることを特徴とするＩＴ端末のオーディオ機器識別方法。
【請求項６】
前記オーディオ機器の判別結果に基づき前記ＩＴ端末内のＣＰＵに割り込みをかけて前記識別されたオーディオ機器に応じてスピーカーボリュームやマイクゲインを設定するステップを備えることを特徴とする請求項５に記載のＩＴ端末のオーディオ機器識別方法。
【請求項７】
単一のジャックインタフェースを含むオーディオ機能を内蔵する携帯型のＩＴ端末の前記ジャックインタフェースに接続されるヘッドホン、イヤホンマイクおよびステレオマイクの３種を識別するＩＴ端末のオーディオ機器識別方法において、
前記ジャックインタフェースに接続されているＬＥＦＴチャンネルおよびＲＩＧＨＴチャンネルのインピーダンスを対応する電圧に変換する変換ステップを備え、該変換ステップにより求めた両電圧に基づき前記ヘッドホン、イヤホンマイク又はステレオマイクを自動判別することを特徴とするＩＴ端末のオーディオ機器識別方法。
【請求項８】
前記変換ステップで変換された両電圧を論理信号に変換して該論理信号の組み合わせを求めるステップを備えることを特徴とする請求項７に記載のＩＴ端末のオーディオ機器識別方法。
【発明の詳細な説明】
【技術分野】
【０００１】
本発明はＩＴ端末に関し、特にオーディオ機能を内蔵する携帯型のＩＴ端末およびその複数種類のオーディオ機器に共通化されたジャックインタフェースに接続されるオーディオ機器識別方法に関する。
【背景技術】
【０００２】
通信技術および半導体技術などの要素技術の進歩により、ノート型パーソナルコンピュータ（ＰＣ）やＰＤＡ（Personal Digital Assistant）の如き小型高性能の携帯型ＩＴ（Information Technology）端末が開発され、急速に普及している。斯かるＩＴ端末を使用することにより、そのユーザは内部メモリに格納された各種データ等の情報を簡単に読み出して利用可能であると共に、無線通信回線を介してオフィスや自宅に据え付けられたコンピュータやインターネット等を介して各種の情報、例えば希望する音楽データを読み出してダウンロードすることにより利用可能である。このようなオーディオ機能を内蔵するＩＴ端末が普及しつつある。
【０００３】
例えばノート型ＰＣでは、その物理的サイズが比較的大きいのでヘッドホン、マイクおよびラインイン等の各種オーディオプラグを備え、これに合わせた複数のジャックインタフェースおよびそれらに対応する回路を搭載可能である。しかし、ノート型ＰＣよりも一層小型であるＰＤＡ等の携帯型ＩＴ端末では、厳しい物理的制約によりヘッドホン又はイヤホンマイクの如き単一のインタフェースのみを搭載するのが一般的である。
【０００４】
斯かるＩＴ端末に関する又は関連する従来技術は幾つかの技術文献に開示されている。ステレオヘッドホンとマイクを備え、これらを区別してステレオ音声処理に対応する音声信号処理装置および携帯電話機が開示されている（例えば、特許文献１参照。）。また、イヤホンマイク用ジャック端子に装着されたプラグがイヤホンマイク用プラグ又はステレオヘッドホン用プラグの何れであるかを検出するプラグ検出器を備える携帯電話装置の信号系切替方法および装置が開示されている（例えば、特許文献２参照。）。
【０００５】
また、ヘッドホンの接続ジャックとマイクロホンの接続ジャックを兼用して設け、これを識別して切替使用する音響装置の入出力回路が開示されている（例えば、特許文献３参照。）。更に、テープレコーダ等のオーディオ機器において、ステレオヘッドホンの接続用ジャックとモノラルマイクの接続用ジャックを１つの接続用ジャックで共用することにより機器の小型化を図るオーディオ機器の信号入出力回路が開示されている（例えば、特許文献４参照。）。
【０００６】
【特許文献１】特開２００２−１０１４９１号公報（第３頁、第１図）
【特許文献２】特開２００２−１４１９８０号公報（第３−４頁、第１図）
【特許文献３】特開平８−１６３６８６号公報（第３−４頁、第１図）
【特許文献４】特開平９−３０７９９０号公報（第２−３頁、第１図）
【発明の開示】
【発明が解決しようとする課題】
【０００７】
上述の如く、従来の携帯可能なＩＴ端末（ノートＰＣ、ＰＤＡ等）には、外付けのヘッドホンやマイクを接続するジャックインタフェースが備えられており、ノートＰＣでは物理的に十分なサイズがあることからヘッドホン、マイク等の各種オーディオ機器に合わせた複数のジャックインタフェースと、その回路を搭載することが可能である。しかしながら、より小型化された携帯ＩＴ端末であるＰＤＡ等では、複数のジャックインタフェースを搭載することが物理的に厳しく、一般的にはヘッドホン又はイヤホンマイクといった単一機能且つ１個のジャックインタフェースのみが搭載されている。
【０００８】
その反面、小型携帯ＩＴ端末であってもマルチメディア機能やソリューションシステムの進歩に伴い、ヘッドホン、イヤホンマイク、ステレオマイク等の各種オーディオ機器に適応する必要性が生じてきている。そこで、携帯型ＩＴ端末の小型化を維持した上で、各種オーディオ機器に対応するマルチファンクションなジャックインタフェースとその回路並びに接続されたオーディオ機器の種別に対して適切なスピーカーボリュームやマイクゲインの設定を施すソフトウェアの提供が必要であるが、従来技術ではこれらのニーズに十分対応できないという課題があった。
【０００９】
本発明は、従来技術の上述した課題に鑑みなされたものであり、斯かる課題を解消又は軽減するＩＴ端末およびそのオーディオ機器識別方法を提供することを主たる目的とする。
【課題を解決するための手段】
【００１０】
前述の課題を解決するため、本発明によるＩＴ端末およびそのオーディオ機器識別方法は次のような特徴的な構成を採用している。
【００１１】
（１）複数種類のオーディオ機器が接続される共通のジャックインタフェース、該ジャックインタフェースに接続される入出力セレクタ回路および該入出力セレクタ回路に接続されるオーディオコーデックを含むオーディオ機能を内蔵するＩＴ端末において、
前記ジャックインタフェースおよび前記入出力セレクタ回路間のＬＥＦＴ信号およびＲＩＧＨＴ信号路に接続され、前記ジャックインタフェースに接続されるオーディオ機器プラグのインピーダンスを電圧に変換する変換回路、該変換回路の出力電圧を基準電圧と比較する比較回路を備え、該比較回路の比較出力に基づき前記入出力セレクタ回路および前記オーディオコーデックの制御部を制御するＩＴ端末。
（２）前記オーディオコーデックの制御部に接続されたＣＰＵを更に備え、該ＣＰＵは、前記制御部からの割り込み信号に基づき前記識別されたオーディオ機器の種別に応じて適切な処理を行う上記（１）のＩＴ端末。
（３）前記比較回路は、前記Ｒ→Ｖ変換回路からのＶ−ＬＥＦＴ電圧およびＶ−ＲＩＧＨＴ電圧を前記基準電圧と比較して、それぞれ「Ｈｉｇｈ」又は「Ｌｏｗ」の論理信号を出力する１対の比較回路により構成される上記（１）又は（２）のＩＴ端末。
（４）前記ジャックインタフェースには、ヘッドホン、イヤホンマイク又はステレオマイクが接続される上記（１）乃至（３）のいずれかのＩＴ端末。
（５）複数種類のオーディオ機器に共通化されたジャックインタフェースを含むオーディオ機能を内蔵する携帯型ＩＴ端末の前記ジャックインタフェースに接続されるオーディオ機器の種別を識別するオーディオ機器識別方法において、
前記ジャックインタフェースに接続されるオーディオ機器プラグのＬＥＦＴチャンネルおよびＲＩＧＨＴチャンネルの抵抗（インピーダンス）に比例するＶ−ＬＥＦＴおよびＶ−ＲＩＧＨＴ電圧を得るステップと、該Ｖ−ＬＥＦＴおよびＶ−ＲＩＧＨＴ電圧を基準電圧と比較するステップと、該両比較結果の組み合わせに基づき前記ジャックインタフェースに接続されたオーディオ機器の種別を判別するステップとを備えるＩＴ端末のオーディオ機器識別方法。
（６）前記オーディオ機器の判別結果に基づき前記ＩＴ端末内のＣＰＵに割り込みをかけて前記識別されたオーディオ機器に応じてスピーカーボリュームやマイクゲインを設定するステップを備える上記（５）のＩＴ端末のオーディオ機器識別方法。
（７）単一のジャックインタフェースを含むオーディオ機能を内蔵する携帯型のＩＴ端末の前記ジャックインタフェースに接続されるヘッドホン、イヤホンマイクおよびステレオマイクの３種を識別するＩＴ端末のオーディオ機器識別方法において、
前記ジャックインタフェースに接続されているＬＥＦＴチャンネルおよびＲＩＧＨＴチャンネルのインピーダンスを対応する電圧に変換する変換ステップを備え、該変換ステップにより求めた両電圧に基づき前記ヘッドホン、イヤホンマイク又はステレオマイクを自動判別するＩＴ端末のオーディオ機器識別方法。
（８）前記変換ステップで変換された両電圧を論理信号に変換して該論理信号の組み合わせを求めるステップを備える上記（７）のＩＴ端末のオーディオ機器識別方法。
【発明の効果】
【００１２】
本発明のＩＴ端末、そのオーディオ機器識別方法および入出力切替回路によると、次の如き実用上の顕著な効果が得られる。即ち、共通化された単一のジャックインタフェースでヘッドホン、イヤホンマイク、ステレオマイク等の複数種のオーディオ機器に適応可能となり、小型化されたＩＴ端末であっても物理的なサイズを損なうことなく十分なオーディオ機能を提供可能である。また、オーディオ機器を接続した後の種別判定と各オーディオ機器に最適なスピーカーボリュームやマイクゲイン等を自動設定可能である。したがって、ユーザが切替操作をする必要がなく、更にジャックインタフェースの接続間違いも排除可能である。本発明によれば、オーディオジャックインタフェースに接続されるヘッドホン、イヤホンマイク、ステレオマイクといった複数種のオーディオ機器を一つのジャックインタフェースで種別の自動判別を行ない、各々のオーディオ機器に適した入出力回路とソフトウェア動作の切り替えを可能とする。
【実施例】
【００１３】
以下、本発明によるＩＴ端末、そのオーディオ機器識別方法および入出力切替回路の好適実施例の構成および動作を、添付図面を参照して詳細に説明する。
【００１４】
先ず、図１は、本発明によるＩＴ端末（又は携帯ＩＴ端末）の好適実施例の構成を示す機能ブロック図である。このＩＴ端末は、ジャックインタフェース１０、Ｒ→Ｖ（抵抗又はインピーダンス→電圧）変換回路２０、１対の比較回路３１、３２、制御部４１、入出力セレクタ回路４２、制御部５１を含むオーディオＣＯＤＥＣ（コーデック）５０およびＣＰＵ（中央処理装置）６０により構成されている。
【００１５】
このＩＴ端末において、ジャックインタフェース１０は、オーディオ機器のプラグが接続される。Ｒ→Ｖ変換回路２０は、ＬＥＦＴ（左）チャンネル（以下、Ｌ−ＣＨという）信号１０２およびＲＩＧＨＴ（右）チャンネル（以下、Ｒ−ＣＨという）信号１０３のインピーダンス特性に基づき電圧値へ変換する。第１比較回路（又は比較回路）３１は、Ｒ→Ｖ変換回路２０により変換されたＬ−ＣＨ電圧値Ｖ−ＬＥＦＴ２０１と基準電圧を比較する。一方、第２比較回路（又は比較回路）３２は、Ｒ→Ｖ変換回路２０により変換されたＲ−ＣＨ電圧値Ｖ−ＲＩＧＨＴ２０２を基準電圧と比較する。入出力セレクタ回路４２は、制御部４１において第１比較回路３１および第２比較回路３２の出力３１１および３１２を受ける。また、この制御部４１は、ジャックインタフェース１０のプラグ認識信号１０１を受ける。入出力セレクタ回路４２は、オーディオコーデック５０の各入出力信号をジャックインタフェース１０のＬＥＦＴ信号１０２およびＲＩＧＨＴ信号１０３に接続する。オーディオコーデック５０の制御部は、ＣＰＵ６０に割り込み信号６０１を出力して、割り込み処理を行なう。このＣＰＵ６０は、識別されたオーディオ機器の種別に適した入出力値（例えば、スピーカーの出力ボリュームはマイクの入力ゲイン）を設定する。
【００１６】
ところで、オーディオ機器のプラグは、一般に３極タイプであって、ジャックインタフェース１０に接続されるプラグには各々Ｌ−ＣＨ、Ｒ−ＣＨおよびＧＮＤ（又は接地）が配線されている。そして、ヘッドホンはＬ／Ｒ−ＣＨ信号共にスピーカー出力、イヤホンマイクはＬ−ＣＨ信号がマイク入力、Ｒ−ＣＨ信号がスピーカー出力、ステレオマイクはＬ／Ｒ−ＣＨ信号共にマイク入力となっている。
【００１７】
次に、図１に示すＩＴ端末の動作を説明する。図１で示す機能および回路を搭載したＩＴ端末のジャックインタフェース１０にオーディオ機器のプラグが接続されると、図２および図３に示す如く、ジャックインタフェースのＬＥＦＴ信号１０２およびＲＩＧＨＴ信号１０３は、オーディオ機器のプラグの各ピンが持つ機能（マイク又はスピーカー）のインピーダンス特性によりＶ−ＬＥＦＴ２０１およびＶ−ＲＩＧＨＴ２０２の電圧値に変換される。
【００１８】
図２は、図１のＩＴ端末の一部およびそのジャックインタフェース１０にオーディオ機器プラグ７０を接続した状態を示す説明図である。また、図３は、ジャックインタフェース１０に接続されるオーディオプラグ７０がヘッドホン、イヤホンマイクおよびステレオマイクである場合のＬ−ＣＨ抵抗（又はインピーダンス）Ｒ１およびＲ−ＣＨ抵抗Ｒ２の値と、これに基づいてＲ→Ｖ変換回路２０により変換された電圧であるＶ−ＬＥＦＴ２０１およびＶ−ＲＩＧＨＴ２０２の値を示す説明図である。
【００１９】
図３に示す如く、左欄に記載するヘッドホンの場合には、スピーカー機能であるＬ−ＣＨ抵抗Ｒ１は小さいので、Ｖ−ＬＥＦＴ２０１は小さく、同じくスピーカー機能であるＲ−ＣＨ抵抗Ｒ２およびＶ−ＲＩＧＨＴ２０２も小さい。一方、中欄に記載するイヤホンマイクの場合には、マイク機能であるＬ−ＣＨ抵抗Ｒ１は大きく、Ｖ−ＬＥＦＴ２０１も大きいが、スピーカー機能であるＲ−ＣＨ抵抗Ｒ２は小さく、Ｖ−ＲＩＧＨＴ２０２も小さい。一方、右欄に記載するステレオマイクの場合には、マイク機能であるＬ−ＣＨ抵抗Ｒ１は大きく、Ｖ−ＬＥＦＴ２０１も大きく、またマイク機能であるＲ−ＣＨ抵抗Ｒ２も大きく、Ｖ−ＲＩＧＨＴ２０２も大きい。
【００２０】
図３に示す如きＶ−ＬＥＦＴ２０１およびＶ−ＲＩＧＨＴ２０２は、図４に示す如く第１比較回路３１および第２比較回路３２の非反転入力端子に入力され、各々反転入力端子に入力される基準電圧３０１の電圧値と比較される。以下、これら第１比較回路３１および第２比較回路３２の比較動作を、図５に示すフローチャートに基づいて説明する。
【００２１】
先ず、第１比較回路３１および第２比較回路３２にＲ→Ｖ変換回路２０から出力されるＶ−ＬＥＦＴ２０１およびＶ−ＲＩＧＨＴ２０２を入力する（ステップＳ１）。次に、第１比較回路３１および第２比較回路３２で、Ｖ−ＬＥＦＴ２０１およびＶ−ＲＩＧＨＴ２０２をそれぞれ基準電圧３０１と比較する（ステップＳ２）。Ｖ−ＬＥＦＴ２０１およびＶ−ＲＩＧＨＴ２０２が基準電圧３０１より小さいと、第１比較回路３１および第２比較回路３２の出力３１１は「Ｌｏｗ」である（ステップＳ３）。一方、Ｖ−ＬＥＦＴ２０１およびＶ−ＲＩＧＨＴ２０２が基準電圧３０１より大きいと、第１比較回路３１および第２比較回路３２の出力３１２は「Ｈｉｇｈ」である（ステップＳ４）。
【００２２】
次に、これら第１比較回路３１の出力３１１および第２比較回路３２からの出力３１２の出力の組み合わせを判定する（ステップＳ５）。第１比較回路３１の出力２０１が「Ｈｉｇｈ」で第２比較回路３２の出力２０２が「Ｌｏｗ」の場合には、イヤホンマイクとして判定する（ステップＳ６）。一方、第１比較回路の出力２０１および第２比較回路３２の出力２０２が共に「Ｌｏｗ」の場合には、ヘッドホンとして判別する（ステップＳ７）。また、第１比較回路３１の出力２０１および第２比較回路３２の出力２０２が共に「Ｈｉｇｈ」であれば、ステレオマイクとして判別する（ステップＳ８）。このようにして、ジャックインタフェース１０に接続されたオーディオ機器がヘッドホン、イヤホンマイク又はステレオマイクの何れであるか判別可能である。
【００２３】
次に、図６は、図１のＩＴ端末のうちジャックインタフェース１０、オーディオ信号の入出力セレクタ回路４２およびこのセレクタ回路４２を制御する制御部４１の部分を示す詳細説明図である。制御部４１には、オーディオ機器が未接続の際の回路誤動作を防止するためにプラグ認識信号１０１と、第１比較回路３１の出力信号３１１および第２比較回路３２の出力信号３１２が入力されている。
【００２４】
図６に示す如く、入出力セレクタ回路４２は、ＬＥＦＴ信号出力入力スイッチＳＷ−Ａ４２１、ＳＷ−Ｂ４２２およびＲＩＧＨＴ信号出力入力スイッチＳＷ−Ｃ４２３、ＳＷ−Ｄ４２４の４個のスイッチを含んでいる。そこで、制御部４１は、図５のフローチャートで示した如く、第１比較回路３１および第２比較回路３２の出力信号３１１および３１２の組み合わせによりジャックインタフェース１０に接続されたオーディオ機器の種別が判断されたことに基づき、図６に示す如く入出力セレクタ回路４２のＳＷ−Ａ〜ＳＷ−Ｄ４２１、４２２、４２３、４２４を切り替えて接続されたオーディオ機器に適切なパスを提供する。
【００２５】
ヘッドホンとして判別された場合には、図６に示すＳＷ−Ａ４２１およびＳＷ−Ｃ４２３が、イヤホンマイクとして判別された場合には、図６に示すＳＷ−Ｂ４２２およびＳＷ−Ｃ４２３が、ステレオマイクとして判別された場合には、図６に示すＳＷ−Ｂ４２２およびＳＷ−Ｄ４２４がＯＮ状態となる。
【００２６】
図６を参照して上述した如く、ジャックインタフェース１０へのＬＥＦＴ信号１０２およびＲＩＧＨＴ信号１０３は、ジャックインタフェース１０に接続されたオーディオ機器の種類に合わせて適切なオーディオ信号と接続される。
【００２７】
更に、図７に示す如く、第１比較回路３１の比較出力信号３１１および第２比較器３２の比較出力信号３１２は、ジャックインタフェース１０からのプラグ認識信号１０１と共にオーディオコーデック５０の制御部５１に入力される。そして、オーディオ機器プラグ７０がＩＴ端末のジャックインタフェース１０に接続されることにより、オーディオ機器が接続状態であることを認識すると、制御部５１は、ＣＰＵ６０に対して割り込み信号６０１を出力して、割り込み処理を行なう。即ち、ＣＰＵ６０は、割り込み信号６０１を受けると、オーディオコーデック５０の制御部５１に入力された第１比較回路３１および第２比較回路３２の比較出力信号３１１、３１２に基づき、ジャックインタフェース１０に接続されたオーディオ機器の判別を行い且つ適切なソフトウエア設定（例えば、出力ボリューム、入力ゲイン等）にて動作開始させる。
【００２８】
以上、本発明によるＩＴ端末およびそのオーディオ機器識別方法の好適実施例の構成および動作を詳述した。しかし、斯かる実施例は、本発明の単なる例示に過ぎず、何ら本発明を限定するものではないことに留意されたい。本発明の要旨および精神を逸脱することなく、特定用途に応じて種々の変形変更が可能であること、当業者には容易に理解できよう。
【００２９】
例えば、上述した実施例では、自動判別されるオーディオ機器の種別をヘッドホン、イヤホンマイクおよびステレオマイクとしたが、これらは代表的なオーディオ機器であり、マイク機能およびスピーカー機能を保有するこれら以外のオーディオ機器であっても適応可能である。また、第１比較回路および第２比較回路の出力は、反転入力方式と非反転入力方式により出力結果のレベルが異なるが、この場合であってもセレクタ回路の制御部がこれに対応した論理設計であれば本発明の動作に影響するものではない。
【図面の簡単な説明】
【００３０】
【図１】本発明によるＩＴ端末の好適実施例の構成を示す機能ブロック図である。
【図２】図１のＩＴ端末のジャックインタフェースにオーディオ機器プラグを接続した場合の説明図である。
【図３】図２のオーディオ機器プラグがヘッドホン、イヤホンマイク又はステレオマイクの何れであるかを判別する説明図である。
【図４】図３の結果に基づき図１のＩＴ端末で判別する説明図である。
【図５】本発明によるＩＴ端末のオーディオ機器識別方法を説明するフローチャートである。
【図６】図１中の入出力セレクタ回路の詳細説明図である。
【図７】図１中のオーディオコーデックの動作説明図である。
【符号の説明】
【００３１】
１０        ジャックインタフェース
２０        Ｒ→Ｖ変換回路
３１、３２  比較回路
４１、５１  制御部
４２        入出力セレクタ回路
５０        オーディオコーデック
６０        ＣＰＵ
７０        オーディオ機器プラグ
【図１】
2006229545.tif 000003
【図２】
2006229545.tif 000004
【図３】
2006229545.tif 000005
【図４】
2006229545.tif 000006
【図５】
2006229545.tif 000007
【図６】
2006229545.tif 000008
【図７】
2006229545.tif 000009